(57)【要約】      （修正有）【課題】表面実装型発光ダイオード（ＳＭＤ型ＬＥＤ）を光源とする長尺フレキシブル照明装置において、該照明装置に簡易に電源配線や制御配線を接続するための新しい接続コネクター装置を提供すること。【解決手段】フレキシブル基板上に設けられた回路パターンと、回路パターンに相当する位置に設けられた先端が突鋭した針状端子１３と、フレキシブル基板を保護するための保護層であって縦方向及び横方向へのずれを防止する２対の嵌合溝１１ｂ、１１ｃ及び嵌合突起１２ａ、１２ｂ、１２ｃとを具備し、これを電気的接続端子とする。【選択図】図２
2015065172.tif 000002
【特許請求の範囲】
【請求項１】
フレキシブル基板上に設けられた回路パターンと、
前記回路パターンに相当する位置に設けられた先端が突鋭した針状端子と、
前記フレキシブル基板を保護するための保護層であって縦方向及び横方向へのずれを防止する２対の嵌合溝及び嵌合突起と
を具備することを特徴とする接続コネクター。
【請求項２】
請求項１記載の接続コネクターにおいて、前記長尺照明装置を前記刺突端子に刺突すると同時に、前記長尺照明装置を押し付け支持することを特徴とする接続コネクター。
【請求項３】
表面実装型発光ダイオード（ＳＭＤ型ＬＥＤ）を、フレキシブル長尺基板の特定位置にて切断可能な如く実装し、実装面を透明樹脂にてコーティングされた長尺照明装置に用いることの可能な接続コネクターにおいて、
前記フレキシブル長尺基板上に設けられた回路パターンと、
前記回路パターンに相当する位置に設けられた先端が突鋭した針状端子と
を備え、前記針状端子を、前記フレキシブル長尺基板上の回路パターンと共に刺突し、これを電気的接続端子とすることを特徴とする接続コネクター。
【請求項４】
請求項３記載の接続コネクターにおいて、押し付け支持のための嵌合部を有することを特徴とする接続コネクター。
【請求項５】
請求項１記載の接続コネクターにおいて、先端が突鋭した針状端子の側面に溝を設け、単なる円形断面より周囲長を拡大して回路パターンとの接触部分を多くしたことを特徴とした接続コネクター。
【発明の詳細な説明】
【技術分野】
【０００１】
本発明は、半導体発光素子を利用した照明装置の接続具に関するものである。
【背景技術】
【０００２】
近年、省エネルギーの観点から、白熱電球や蛍光灯に替えて発光ダイオード（以下、「ＬＥＤ」と省略表記する。）を光源とした照明装置が使用されてきている。このような照明装置に用いられるＬＥＤは、高輝度で拡散範囲が広い表面実装型ＬＥＤ（以下、「ＳＭＤ型ＬＥＤ」と省略表記する。）が多い。
【０００３】
このような照明装置は、製造の容易さ、応用の広さから「非特許文献１」の如く、長尺の基板上に複数のＳＭＤ型ＬＥＤを配置し、蛍光灯と同様な照明装置としたり、プリント基板をフレキシブルとし看板のバックライト、足元灯、室内装飾、イルミネーション、間接照明等に広く応用されてきている。
【０００４】
「特許文献１」では照明装置の設置場所の寸法に応じて長さを調節できる技法が開示されているが、それぞれ長さや形状が異なる照明装置基板にあらかじめ接続コネクターが装着してあり、ユーザーが自由に長さを調節して、接続コネクターをユーザー自身が取り付ける技法は開示されておらず、照明装置の設置自由度には限界がある。
【０００５】
また、「非特許文献２」の如く、ＲＧＢ（赤、緑、青）の３原色のチップが１個のＳＭＤに実装されたＬＥＤを使用したものもあり、専用のコントローラを使用して調光することも可能である。
【０００６】
上記に例としてあげた如く、長尺状のＳＭＤ型ＬＥＤは大変使いやすく、フレキシブル基板を透明なシリコンやＰＶＣでコーティングして、防滴或いは防水型として更に使いやすく応用分野を広げている。
【０００７】
更に、「非特許文献３」の如く一定長さごとにフレキシブル基板上に配線パターンの余裕部分を設け、この部分で切断することにより任意の長さの照明装置とすることができ、各種の照明必要箇所に対応することができる。
【０００８】
この任意の長さに切断されたＳＭＤ型ＬＥＤ照明装置（以下、「長尺フレキシブル照明装置」と呼称する。）を点灯させるためには、電源線や制御線の配線をしなければならない。この配線をするためには、「非特許文献３」の如くフレキシブル基板の配線パターン上を覆っているコーティング材を削り取った後、プリント配線パターンに電源配線を半田付けし、その半田付け箇所を保護した上で電源配線箇所及びフレキシブル基板接続箇所を熱収縮チューブで強度保持をしてやる必要がある。
【０００９】
しかし、上記コーティング材を削り取る際、削りすぎてフレキシブル基板上のプリント配線パターンを傷付けてしまうことがある。また、削り過ぎないようにするとプリント配線パターン上にコーティング材を残してしまうと、これが半田こての熱で気化して悪臭を放ったり有毒ガスを発生したりする恐れがある。
【００１０】
また、半田付けは一般ユーザーにはなかなか馴染みがなく、半田こてや半田を所有していない場合も多く、熱を加えすぎてプリント配線パターンを剥がしてしまったり、半田ごてや溶解半田で火傷をしたりという事故の恐れがある。このため、長尺フレキシブル照明装置は任意の長さにすることができるという大変便利な機能を持っているにもかかわらず、その配線のために半田付けに習熟した販売員を必要とする。
【００１１】
さらに、フレキシブル基板と電源配線の接続部分はコーティング材も無く、熱収縮チューブで覆っただけでは強度不足で、接続部分が剥離したり切断したりする恐れがある。
【先行技術文献】
【特許文献】
【００１２】
【特許文献１】特開２０１０−２１１２３号公報
【非特許文献】
【００１３】
【非特許文献１】http://www.neo-w.co.jp/LED_tape.html
【非特許文献２】http://www.xmas-deco-lights.com/shop/LEDTapeLight.html
【非特許文献３】http://store.shopping.yahoo.co.jp/lifetec/zg-led-tp3528-60-yl.html
【発明の概要】
【発明が解決しようとする課題】
【００１４】
前述のように、同一平面状に実装されたＳＭＤ型ＬＥＤの基板をフレキシブルとした照明装置において、非常に長尺なＳＭＤ型ＬＥＤを製造することは可能であり、そのＳＭＤ型ＬＥＤを任意の長さに切断して長尺フレキシブル照明装置とすることは可能であるが、切断された長尺フレキシブル照明装置に一般ユーザーが簡単に電源線を接続できるようにすることが課題である。
【００１５】
さらに、この接続には半田ごての様な特殊な工具を必要とせず、危険防止のためにも接続部に十分な強度を持たせることも課題である。
【課題を解決するための手段】
【００１６】
上記のような各課題を解決するため、本発明に係る接続コネクターは、先端が突鋭した針状端子をフレキシブル基板と共にその表面のプリント回路パターンを刺突することにより回路接続端子とする。
【００１７】
また、上記刺突と同時に長尺フレキシブル照明装置の端部を圧着するような嵌合部を備えたワンタッチ接続構造とした接続コネクタ構成とする。
【発明の効果】
【００１８】
以上、説明したような構成の接続コネクターを用いれば、長尺フレキシブル照明装置表面の透明樹脂の除去という煩雑な作業や、一般ユーザーには難しい半田付け作業を行う必要がなくなる。
【００１９】
また、フレキシブル基板を刺突すると共に長尺フレキシブル照明装置の端部を圧着する構造のため、長尺フレキシブル照明装置と電源線との接続部分は十分な強度を有し、接続部の剥離や破損の心配も無くなる。
【００２０】
上記説明による本発明の接続コネクターを用いれば、一般ユーザーが簡単に長尺フレキシブル照明装置の電源配線ができるため、製造・販売者はＤＩＹ店（日曜大工材料店）等で長尺フレキシブル照明装置をドラムに巻き付けた状態で展示し、一般ユーザーは必要な任意の長さでそれを切り取り、ＡＣアダプター或いは電源コントローラとの接続を本発明の接続コネクターによってワンタッチで行うことができる。これはＤＩＹ店にとっては販売方法が簡易化する一方、一般ユーザーにとっては販売員への説明や作業依頼が不要となるためで、ＤＩＹ店、ユーザーのどちらにとっても大変メリットがあることである。
【図面の簡単な説明】
【００２１】
【図１】長尺フレキシブル照明装置の端部構造の一例を示す図である。
【図２】本発明に係る長尺フレキシブル照明装置用接続コネクターの全体構成図である。
【図３】本発明に係る長尺フレキシブル照明装置用接続コネクターにより長尺フレキシブル照明装置と電源や制御線とを接続した場合を示す図である。
【図４】本発明に係る長尺フレキシブル照明装置用接続コネクターの接続部分のＡ−Ａ´断面図である。
【図５】本発明に係る長尺フレキシブル照明装置用接続コネクターの接続部分のＢ−Ｂ´断面図である。
【図６】本発明に係る長尺フレキシブル照明装置用接続コネクターの突鋭端子の別の応用例で、Ａは概略形状、Ｂは断面図である。
【発明を実施するための形態】
【００２２】
以下、図面を参照して本発明の実施形態を説明する。なお、以下では本発明の目的を達成するための説明に必要な範囲を模式的に示し、本発明の該当部分の説明に必要な範囲を主に説明することとし、説明を主略する箇所については公知技術によるものとする。
【００２３】
図１は本発明が適用される長尺フレキシブル照明装置１の端部構造の一例を示した概念的斜視図である。同図に示すように、フレキシブル基板２には銅箔等のプリント回路パターン３がプリント蒸着されており、プリント回路パターン３にＳＭＤ型ＬＥＤ５や回路構成部品（図示省略）が装着されている。該フレキシブル基板上には透明樹脂のコーティング材４がコーティングされている。
【００２４】
図２は、本発明の長尺フレキシブル照明装置１用接続コネクタ１０の全体構成図である。コネクター本体部１１には先端が突鋭した複数の端子１３が鋳込まれており、この端子は長尺フレキシブル照明装置用の電源線或いは制御線１１ｄに接続されており、ＡＣアダプターのような電源あるいは照明制御装置に接続されている。
【００２５】
また、コネクタ本体部１１には長尺フレキシブル照明装置１の横幅に適合した窪み１１が設けられており、端子１３は長尺フレキシブル照明装置１のプリント回路パターンに相当する位置に突出して鋳込まれている。
【００２６】
更に、コネクター本体部１１の側面及び窪み１１ａの奥には嵌合用の溝１１ｂと窪み１１ｃが設けられている。
【００２７】
一方、押し付けキャップ部１２はコネクター本体部１１より幅が広く該本体部の溝１１ｂと窪み１１ｃと嵌合する突起１２ａと突起１２ｃを有している。
【００２８】
さらに、押し付けキャップ部１２にはコネクター本体部１１の窪み１１ａに相当する幅の押さえ突起１２ｂを有している。
【００２９】
図３は、上記で説明した構造の長尺フレキシブル照明装置１用接続コネクタ１０を用いて長尺フレキシブル照明装置１と電源線或いは制御線を接続した場合の図である。長尺フレキシブル照明装置１は、先ず上記説明のコネクター本体部１１の窪み１１ａに置かれその上から押し付けキャップ１２で押し付けられ、突鋭端子１３がフレキシブル基板２とプリント回路パターン３を刺突してプリント回路パターン３と突鋭端子１３は電気的に導電接続される。
【００３０】
長尺フレキシブル照明装置上記と同時に長尺フレキシブル照明装置１は押し付けキャップ１２によってコネクター本体部１１にしっかり押し付けられ嵌合部１１ｂと１２ａとの嵌合によって押し付けられたままとなる。
【００３１】
また、この嵌合はコネクター本体部１１の溝１１ｃと押し付けキャップ部１２の突起１２ｃとの嵌合によってずれることなく固定される。
【００３２】
図４は、図３のＡ−Ａ´断面を示しており、コネクター本体部１１の窪み１１ａに置かれた長尺フレキシブル照明装置１を、その上から押し付けキャップ部１２の突起１２ｂで押し付けることによりフレキシブル基板２に蒸着されたプリント回路パターン３に相当する位置に設けられた突鋭端子１３がフレキシブル基板２とプリント回路パターン３を刺突して導電接続される様子を示している。
【００３３】
上記による押し付けはコネクタ本体部１１と押し付けキャップ部１２の嵌合溝１１ｂ、１１ｃと嵌合突起１２ａ、１２ｃ（図示せず）によって固定維持される。
【００３４】
図５は、図３のＢ−Ｂ´断面を示しており、コネクター本体部１１の窪み１１ａには長尺フレキシブル照明装置１が突鋭端子１３によってそのフレキシブルプリント基板１２ｂとプリント回路パターン３を刺突されている。
【００３５】
この長尺フレキシブル照明装置１はその透明コーティング材４の上から押し付けキャップ部１２の突起１２ｂによってコネクター本体部１１にしっかり押し付け固定され、同じく押し付けキャップ部１２の突起１２ｃがコネクター本体部１１の溝１１ｃに勘合して押し付けキャップ部１２が図５の横方向にずれないように固定されている。
【００３６】
上記までの説明では、嵌合溝と突起によってワンタッチで長尺フレキシブル照明装置とコネクターを固定状態で維持できる例について説明したが、押し付けキャップ部をコネクター本体部にネジ止めしたり等の従来方法で固定させることは自明である。
【００３７】
図６は、突鋭端子１３の改良例１３ａを示すもので、端子側面に溝を付け、断面形状を単なる円形ではなく、同一半径でも周囲長を増して突鋭端子１３ａとプリント回路パターン３との電気的接触部分を増大させ、より多くの電流を流せるようにしたものである。
【産業上の利用可能性】
【００３８】
上述してきたように、本願に係る発明によれば、長尺フレキシブル照明装置の電源線接続に半田付けのような特殊な作業を必要とせず、一般ユーザーでもコネクター部に長尺フレキシブル照明装置の一端を嵌め込み上部からキャップをパチッと嵌め込めば接続が完了し、接続部の強度も十分保つことができる。
【００３９】
この様な効果のため、必要とされる任意の位置で切断できるという長尺フレキシブル照明装置の特長を最大限に生かすことができ、接続の手間が省けることから販売店、ユーザーの双方に大変大きなメリットとなる。
【００４０】
また、本願発明による接続コネクターは、突鋭端子によってフレキシブルプリント板を通してプリントパターンを刺突して導電接触端子とするため、長尺フレキシブル照明装置と電源との接続ばかりか他のフレキシブルプリント板を使用した電子機器への配線接続コネクターとしても容易に応用できるものであり、各種産業に対して大きな有益性をもたらすものである。
【符号の説明】
【００４１】
１…長尺フレキシブル照明装置、２…フレキシブルプリント基板、３…プリント回路パターン、４…透明樹脂コーティング材、５…ＳＭＤ型ＬＥＤ、１０…本願発明による接続コネクター、１１…コネクター本体部、１１ａ…窪み、１１ｂ…溝、１１ｃ…溝、１１ｄ…電源線或いは制御線、１２…押し付けキャップ部、１２ａ…突起、１２ｂ…突起、１２ｃ…突起、１３…突鋭針状端子、１３ａ…突鋭針状端子改良例
【図１】
2015065172.tif 000003
【図２】
2015065172.tif 000004
【図３】
2015065172.tif 000005
【図４】
2015065172.tif 000006
【図５】
2015065172.tif 000007
【図６】
2015065172.tif 000008